(57)【要約】  本発明は、内折りフレキシブルスクリーン・モバイル端末のヒンジを提供する。ヒンジは、左支持板、中間支持板及び右支持板を順次に回転連結してなるトリロッド機構及び左支持台と右支持台、中部Ｕ形ケーシングを含んでいる。  前記トリロッド機構の両端は、いずれも自由端である。左支持板や中間支持板及び右支持板は、いずれも昇降できるフレキシブルスクリーン支持部品である。上昇後は、フレキシブルスクリーンの支持面を形成し、降下後は、弯曲状態になり、フレキシブルスクリーンの弯曲スペースを提供する。中間支持板は、降下した後、中部Ｕ形ケーシングの底部に収まる。  ヒンジは、より大きなフレキシブルスクリーンの弯曲スペースを提供するとともに、ヒンジが閉じられた後、その中部機構が外に露出されないようにし、携帯電話やｅブック、コンピューターなどのモバイル端末に使用できるようにし、モバイル端末が、コンパクトな構造で、ビッグスクリーン・ディスプレイを実現できるようにする。【選択図】図１
2021505822.tif 000002
【特許請求の範囲】
【請求項１】
左支持板、中間支持板及び右支持板を順次に回転連結してなるトリロッド機構と、左支持台と、右支持台とを備え、
前記トリロッド機構の両端は、いずれも自由端であり、
左支持板、中間支持板及び右支持板は、いずれもフレキシブルスクリーンの支持部品であり、昇降でき、上昇後は、フレキシブルスクリーンの支持面を形成し、降下後は、弯曲状態になり、フレキシブルスクリーンが弯曲するスペースを提供し、
左支持台と右支持台の裏側端は、左支持台と右支持台が同期して反対方向に回転ができるように、それぞれシンクロナス機構と回転連結され、
左支持台と右支持台の裏側端の偏心位置では、中間支持板と左支持板との間、および、中間支持板と右支持板との間が、それぞれ隙間ばめで回転可能に連結されており、
前記左支持板と右支持板の外側端は、左支持台及び右支持台にそれぞれ動作可能に連結されており、それらの間には、前記動作のガイド機構が設けられており、
前記外側端は、ガイド機構のガイドによって昇降でき、
前記ヒンジには、中部Ｕ形ケーシングが設置され、前記中間支持板の位置は、中部Ｕ形ケーシングに対応し、前記中部支持板が降下後、前記中部Ｕ形ケーシングの底部に収められる、ことを特徴とする内折りフレキシブルスクリーン・モバイル端末のヒンジ。
【請求項２】
一対の左支持台と一対の右支持台とが設けられ、
前記一対の左支持台は、それぞれ左支持板の両側に位置し、
前記一対の右支持台は、それぞれ右支持板の両側に位置する、
ことを特徴とする請求項１に記載の内折りフレキシブルスクリーン・モバイル端末のヒンジ。
【請求項３】
前記左支持台と右支持台との裏側端の偏心位置には、連結軸が対称的に設けられており、
前記中間支持板には、左支持台の連結軸が嵌まる長孔と、右支持台の連結軸が嵌まる長孔が対称的に設けられている、
ことを特徴とする請求項１に記載の内折りフレキシブルスクリーン・モバイル端末のヒンジ。
【請求項４】
前記ガイド機構は、左支持台と右支持台に配置されたガイド溝と、左支持板と右支持板とに設けられたガイドピンとを備え、
左支持台と右支持台のガイド溝は、対称的に設けられている、
ことを特徴とする請求項１に記載の内折りフレキシブルスクリーン・モバイル端末のヒンジ。
【請求項５】
前記左支持台と右支持台の外側には、取り付けケーシングが設けられており、
シンクロナス機構は、取り付けケーシング中に取り付けられ、
前記中部Ｕ形ケーシングの両端は、それぞれ片側の取り付けケーシングに連結され、
前記左支持台と右支持台は、ガイド穴を備えており、中部Ｕ形ケーシングと取り付けケーシングの連結構造において左支持台と右支持台が回転できるように案内される、
ことを特徴とする請求項２に記載の内折りフレキシブルスクリーン・モバイル端末のヒンジ。
【請求項６】
請求項１から５までの何れか一項に記載のヒンジが設置され、前記フレキシブルスクリーンが前記ヒンジの内側に配置される、ことを特徴とする内折りフレキシブルスクリーン・モバイル端末。
【発明の詳細な説明】
【技術分野】
【０００１】
本発明は、モバイル端末及びそのヒンジに関する。
【背景技術】
【０００２】
フレキシブルスクリーンは、新しく現れたスクリーンである。フレキシブルスクリーン・モバイル端末の機械構造にとって、当面解決せねばならぬ問題は、モバイルスクリーンが閉じられる時に一定の湾曲が必要であるフレキシブルスクリーンの特徴に適応するように、いかにフレキシブルスクリーンを支え、フレキシブルスクリーンがモバイル端末に使えるようにするかということである。
【発明の概要】
【発明が解決しようとする課題】
【０００３】
本発明は、構造が簡単で、フレキシブルスクリーンの内側においてモバイル端末のヒンジとして使用できる内折りフレキシブルスクリーン・モバイル端末のヒンジを提供することを目的とする。
【課題を解決するための手段】
【０００４】
内折りフレキシブルスクリーン・モバイル端末のヒンジは、左支持板、中間支持板及び右支持板を順次に回転連結してなるトリロッド機構と、左支持台と、右支持台とを備えている、ことを特徴とする。前記トリロッド機構の両端は、いずれも自由端である。左支持板、中間支持板及び右支持板がいずれも昇降できるフレキシブルスクリーン支持部品である。上昇後は、フレキシブルスクリーンの支持面を形成し、降下後は、弯曲状態になり、フレキシブルスクリーンの弯曲スペースを提供する。左支持台と右支持台の裏側端は、それぞれシンクロナス機構と回転連結されており、左支持台と右支持台は、同期して反対方向に回転する。
【０００５】
左支持台と右支持台の裏側端の偏心位置では、中間支持板と左支持板との間、中間支持板と右支持板との間が、それぞれ隙間ばめで回転可能に連結されており、
前記左支持板と右支持板の外側端は、左支持台及び右支持台にそれぞれ動作可能に連結されており、それらの間には、前記動作のガイド機構が設けられており、前記外側端は、ガイド機構のガイドによって昇降でき、前記ヒンジには、中部Ｕ形ケーシングが設置され、前記中間支持板の位置は、中部Ｕ形ケーシングに対応し、前記中部支持板が降下後、前記中部Ｕ形ケーシングの底部に収まれている。
【０００６】
さらに、一対の左支持台と一対の右支持台とが設けられていてもよい。前記一対の左支持台は、それぞれ左支持板の両側に位置し、前記一対の右支持台は、それぞれ右支持板の両側に位置していてもよい。
【０００７】
さらに、前記左支持台と右支持台との裏側端の偏心位置には、連結軸が対称的に設けられていてもよい。前記中間支持板には、左支持台の連結軸が嵌まる長孔と、右支持台の連結軸が嵌まる長孔とが対称的に設けられていてもよい。
【０００８】
さらに、前記ガイド機構は、左支持台と右支持台に設けられたガイド溝と、左支持板と右支持板とに設けられたガイドピンとを備えていてもよい。左支持台と右支持台のガイド溝は、対称的に設けられていてもよい。
【０００９】
さらに、前記ヒンジの左支持台と右支持台の外側には、取り付けケーシングが設けられていてもよい。シンクロナス機構は、取り付けケーシング中に取り付けられ、中部Ｕ形ケーシングの両端は、それぞれ片側の取り付けケーシングと連結され、左支持台と右支持台は、ガイドを備えていてもよい。中部Ｕ形ケーシングと取り付けケーシングの連結構造において、左支持台と右支持台は回転できるように設置されていてもよい。
【００１０】
発明が解決しようとする第二の課題：
上記ヒンジを利用した内折りフレキシブルスクリーン・モバイル端末を提供することを目的とする。
【００１１】
課題を解決するための技術手段：
前記いずれかのヒンジが設置され、前記フレキシブルスクリーンが前記ヒンジの内側に敷設される、ことを特徴とする内折りフレキシブルスクリーン・モバイル端末。
【発明の効果】
【００１２】
本発明の技術手段を利用することによって、本発明は構造が簡単で、信頼性が高くなり、内形のフレキシブルスクリーンに対する支持を実現するとともに、内側のフレキシブルスクリーンが閉じられる時の弯曲における要求を満たすことができ、より大きなフレキシブルスクリーンの弯曲スペースを提供するとともに、ヒンジが閉じられた後、その中部機構が、外に露出されないようにする。本発明のヒンジを携帯電話や電子ブック、コンピューターなどモバイル端末に使用する場合、それらのヒンジとして使用できるだけでなく、それらのフレキシブルスクリーンのサポート構造として使用することもでき、携帯電話やコンピューターが開かれ又は閉じられる時に、フレキシブルスクリーンが自由に開かれ、または、曲がるようにし、フレキシブルスクリーンが携帯電話やｅブック、コンピューターなどのモバイル端末に使用できるようにし、モバイル端末がコンパクトな構造で、ビッグスクリーン・ディスプレイを実現できるようにする。
【図面の簡単な説明】
【００１３】
【図１】図1は、本発明ヒンジ実施例の分解図である。
【図２】図２は、本発明ヒンジ実施例の平らに開かれている状態の断面図である。
【図３】図３は、本発明ヒンジ実施例の閉じられている状態の断面図である。
【図４】図４は、図２中Ａ部位の拡大図である。
【図５】図５は、図３中Ｂ部位の拡大図である。
【図６】図６は、本発明ヒンジ実施例の平らに開かれている状態の局所断面図であり、シンクロナス機構の構造を示す図である。
【図７】図７は、本発明ヒンジ実施例の平らに開き／閉じる状態のデモンストレーション図である。
【図８】図８は、本発明ヒンジをモバイル端末に使用する時、平らなに開かれている時の略図である。
【図９】図９は、本発明ヒンジをモバイル端末に使用する時、閉じられている時の略図である。
【発明を実施するための形態】
【００１４】
図面のとおり、本発明は、内折りフレキシブルスクリーン・モバイル端末のヒンジを提供する。ヒンジは、左支持板１や中間支持板３及び右支持板２を含んでいる。左支持板１、中間支持板３及び右支持板２は、順次に回転連結されてトリロッド機構を構成する。トリロッド機構の両端は、いずれも自由端である。左支持板、中間支持板及び右支持板は、いずれもフレキシブルスクリーンの支持部品であり、昇降できる。上昇した後、左支持板、中間支持板及び右支持板は、フレキシブルスクリーンの支持面を形成する。降下後、左支持板、中間支持板及び右支持板は、弯曲状態になり、フレキシブルスクリーンの弯曲スペースを提供する。そのうち、図中の記号１０は、左支持板１と中間支持板３との回転連結軸である。図中の記号２０は、右支持板２と中間支持板３との回転連結軸である。
【００１５】
ヒンジは、中部Ｕ形ケーシング５を備えている。中間支持板３の位置は、中部Ｕ形ケーシング５と対応している。中間支持板３は、降下した後、中部Ｕ形ケーシング５の底部に収まる。
【００１６】
ヒンジは、一対の左支持台１００と一対の右支持台２００を備えている。左支持台１００は、それぞれ左支持板１の両側に位置している。一対の右支持台２００は、それぞれ右支持板２の両側に位置している。
【００１７】
左支持台１００と右支持台２００は、同期して反対方向に回転ができるように、左支持台１００と右支持台２００の裏側端は、それぞれシンクロナス機構と回転連結されている。シンクロナス機構は、歯車機構を使用することができる。歯車機構は、順次に噛み合う歯車４１、４２、４３、４４からなる。歯車のパラメータは、ヒンジが開かれる動作条件によって、対称式又は非対称式を採用することができる。歯車４１と歯車４４は、それぞれ左支持台１００と右支持台２００の裏側端に連結される。
【００１８】
ヒンジの左支持台１００と右支持台２００の外側には、取り付けケーシング４０が設けられている。歯車４１、４２、４３、４４は、取り付けケーシング４０の中に取り付けられている。中部Ｕ形ケーシング５の両端は、それぞれ片側の取り付けケーシング４０に連結されている。左支持台１００と右支持台２００は、ガイド穴１０１、２０１を備えている。ガイド穴１０１、２０１は、中部Ｕ形ケーシングとケーシングとの連結構造において、左支持台と右支持台が移動し、回転するように構成されている。
【００１９】
トリロッド機構の両端は、いずれも自由端である。左支持板１、中間支持板３及び右支持板２は、いずれも昇降できるフレキシブルスクリーンの支持部材になる。
【００２０】
左支持台１００と右支持台２００の裏側端の偏心位置（ここで、偏心位置は、回転中心からずれた位置である。）では、中間支持板３と左支持板１との間、および、中間支持板３と右支持板２との間が、それぞれ隙間ばめで、回転可能に連結されている。左支持台と右支持台の裏側端の偏心位置には、連結軸１０２、２０２が対称的に設けられている。
【００２１】
中間支持板３は、左支持台の連結軸１０２が嵌まる長孔３１と、右支持台の連結軸２０２が嵌まる長孔３２とが対称的に設けられている。前記左支持板１と右支持板２の外側端は、左支持台１００及び右支持台２００にそれぞれ動作可能に連結されており、それらの間には、当該動作のガイド機構が設けられている。
【００２２】
前記ガイド機構は、左支持台１００と右支持台２００に配置されたガイド溝１０３、２０３と、左支持板１と右支持板２に設けられたガイドピン１１、２１とを備えている。左支持台１００と右支持台２００のガイド溝１０３、２０３は、対称的に設けられている。
【００２３】
ヒンジが開かれる動作と閉じられる動作において、左支持板１と右支持板２は、中間支持板に対して同期して回転する。モバイル端末の厚さ方向に対して、左支持板１と右支持板２が同期して降下すると、中間支持板３は、ヒンジの幅方向に対して同期して上向きに動く。ヒンジが閉じられる時に、比較的大きいフレキシブルスクリーン４００が弯曲できるスペース３００が提供される。ヒンジが平らに開かれる時には、フレキシブルスクリーンを支持するサポートが提供される。
【００２４】
左支持台とシンクロナス機構との間、及び、右支持台とシンクロナス機構との間には、トルク機構が設けられている。トルク機構によって、操作の手触りが向上し、いつでも停止し、いつでもポジショニングできる機能が提供される。前記トルク機構は、相対的回転が発生するその他の部位間に設けられてもよい。
【００２５】
上記ヒンジを用いたモバイル端末として、携帯電話を例に挙げると、前記フレキシブルスクリーン４００は、前記ヒンジの内側及びフレキシブルスクリーンの左側メイン支持板５００と右側メイン支持板６００の内側に取り付けられる。前記左支持台１００と右支持台２００は、それぞれモバイル端末のフレキシブルスクリーンの左側メイン支持板５００と右側メイン支持板６００と一体又はそれぞれ単独の部品として一体に固定される。
【００２６】
上記説明は本発明の最良の実施形態であるが、本発明の構造特徴はこれに限られるものではない。本分野の技術者が、本発明の分野において、行った改変又は改良はいずれも本発明の特許請求の範疇に属する。
【図１】
2021505822.tif 000003
【図２】
2021505822.tif 000004
【図３】
2021505822.tif 000005
【図４】
2021505822.tif 000006
【図５】
2021505822.tif 000007
【図６】
2021505822.tif 000008
【図７】
2021505822.tif 000009
【図８】
2021505822.tif 000010
【図９】
2021505822.tif 000011
【国際調査報告】
2021505822.tif 000012
2021505822.tif 000013
2021505822.tif 000014
2021505822.tif 000015